【手続補正書】
【提出日】平成24年11月9日(2012.11.9)
【手続補正１】
【補正対象書類名】特許請求の範囲
【補正対象項目名】全文
【補正方法】変更
【補正の内容】
【特許請求の範囲】
【請求項１】
ストレッチャブルシリコン基板と、
前記ストレッチャブルシリコン基板上に作製された複数のノードであって、前記ノードが前記ストレッチャブルシリコン基板上に成長した酸化亜鉛ナノワイヤを含んでいるエネルギー収集及び貯蔵要素と通信装置、感知装置、及びプロセッサのうちの少なくとも一つとを含み、前記基板上に形成された相互に接続する導体を介して相互接続された、
センサネットワーク。
【請求項２】
前記エネルギー収集及び貯蔵要素が、前記通信装置、前記感知装置、及び前記プロセッサに電力を供給するように構成された、請求項１に記載のセンサネットワーク。
【請求項３】
前記エネルギー収集及び貯蔵要素が、機械的応力を電気エネルギーに転換するように構成された圧電装置を含んでいる、請求項１に記載のセンサネットワーク。
【請求項４】
前記ストレッチャブルシリコン基板が、前記ノードを相互に接続する複数の導体を含んでいる、請求項１に記載のセンサネットワーク。
【請求項５】
前記ノードの一部が無線通信能を含んでいる、請求項１に記載のセンサネットワーク。
【請求項６】
前期無線通信能がＲＦトランシーバを含んでいる、請求項５に記載のセンサネットワーク。
【請求項７】
前記ノードの少なくとも一つが、前記センサネットワークの外部のシステムと通信する処理能力を含んでいる、請求項１に記載のセンサネットワーク。
【請求項８】
外部システムとの通信がビークルネットワークインターフェースを介して行われる、請求項７に記載のセンサネットワーク。
【請求項９】
前記感知装置が、構造ヘルスモニタリング及び管理用のセンサ、着氷センサ、並びにセンサ周囲の気流の動的な流れの剥離を感知するセンサのうちの少なくとも一つを含んでいる、請求項１に記載のセンサネットワーク。
【請求項１０】
前記ストレッチャブルシリコン基板が、一の領域全体に広げられたモノリシックなシリコンダイを含んでいる、請求項１に記載のセンサネットワーク。
【請求項１１】
前記感知装置が、温度センサ、圧力センサ、及び振動センサのうちの少なくとも一つを含んでいる、請求項１に記載のセンサネットワーク。
【請求項１２】
ストレッチャブルシリコン基板と、
前記ストレッチャブルシリコン基板上に作製された複数のセンサと、
前記ストレッチャブルシリコン基板上に作製された少なくとも一つの通信装置と、
前記ストレッチャブルシリコン基板上に作成された少なくとも一つのエネルギー収集及び貯蔵要素であって、前記ストレッチャブルシリコン基板上に成長した酸化亜鉛ナノワイヤを含んでいるエネルギー収集及び貯蔵要素と、
を備えた構造をモニタリングするためのネットワークであって、
前記ストレッチャブルシリコン基板が、前記複数のセンサと、前記少なくとも一つの通信装置と、前記少なくとも一つのエネルギー収集及び貯蔵要素とを相互に接続する複数の導体経路を内部に含んでおり、前記ネットワークが構造全体に取り付けられることによりセンサが分散配置され、前記センサからのデータが前記少なくとも一つの通信装置を介して外部装置に通信される、
構造をモニタリングするためのネットワーク。
【請求項１３】
前記少なくとも一つのエネルギー収集及び貯蔵要素、前記少なくとも一つの通信装置、及び前記複数のセンサと相互に接続されて、前記ネットワークの外部のシステムと通信するように動作可能な少なくとも一つのプロセッサを更に備えている、請求項１２に記載の構造をモニタリングするためのネットワーク。
【手続補正２】
【補正対象書類名】明細書
【補正対象項目名】００２７
【補正方法】変更
【補正の内容】
【００２７】
本明細書では、実施例を使用して、ベストモードを含む種々の実施形態を開示し、且つ当業者が、任意のデバイス又はシステムを作製及び使用すること、及び任意の方法を実行することを含めてこのような実施形態を実施することを可能にしている。特許可能な範囲は、請求の範囲によって規定され、当業者が想起する他の実施例を含みうる。このような他の実施例は、特許請求の範囲の字義通りの説明から逸脱しない構造的要素を有する場合、又は特許請求の範囲の字義通りの説明から無視できる程度の差異を有する等価な構造的要素を有する場合、特許請求の範囲に含まれる。
また、本願は以下に記載する態様を含む。
（態様１）
ストレッチャブルシリコン基板と、
前記ストレッチャブルシリコン基板上に作製された複数のノードであって、エネルギー収集及び貯蔵要素、通信装置、感知装置、及びプロセッサのうちの少なくとも一つを含み、前記基板上に形成された相互に接続する導体を介して相互接続された前記ノードと
を備えたセンサネットワーク。
（態様２）
前記エネルギー収集及び貯蔵要素が、前記通信装置、前記感知装置、及び前記プロセッサに電力を供給する、態様１に記載のセンサネットワーク。
（態様３）
前記エネルギー収集及び貯蔵要素が、機械的応力を電気エネルギーに転換する圧電装置を含んでいる、態様１に記載のセンサネットワーク。
（態様４）
前記ストレッチャブルシリコン基板が、前記ノードを相互に接続する複数の導体を含んでいる、態様１に記載のセンサネットワーク。
（態様５）
前記ノードの一部が無線通信能を含んでいる、態様１に記載のセンサネットワーク。
（態様６）
無線通信能がＲＦトランシーバを含んでいる、態様５に記載のセンサネットワーク。
（態様７）
前記ノードの少なくとも一つが、前記センサネットワークの外部のシステムと通信する処理能力を含んでいる、態様１に記載のセンサネットワーク。
（態様８）
外部システムとの通信がビークルネットワークインターフェースを介して行われる、態様７に記載のセンサネットワーク。
（態様９）
前記感知装置が、構造ヘルスモニタリング及び管理用のセンサ、着氷センサ、並びにセンサ周囲の気流の動的な流れの剥離を感知するセンサのうちの少なくとも一つを含んでいる、態様１に記載のセンサネットワーク。
（態様１０）
前記ストレッチャブルシリコン基板が、一の領域全体に広げられたモノリシックなシリコンダイを含んでいる、態様１に記載のセンサネットワーク。
（態様１１）
前記エネルギー収集及び貯蔵要素が、前記ストレッチャブルシリコン基板上に成長した酸化亜鉛ナノワイヤを含んでいる、態様１に記載のセンサネットワーク。
（態様１２）
前記感知装置が、温度センサ、圧力センサ、及び振動センサのうちの少なくとも一つを含んでいる、態様１に記載のセンサネットワーク。
（態様１３）
所望の領域全体にシリコンメディアを広げること、
広げたシリコンメディアを加工することにより、メディアの上に任意の数のノードを生成すること、及び
ストレッチャブルメディア内の導体を利用して、生成されたノードを冗長に相互接続することによりネットワークを形成すること
を含む、ネットワーク作製方法。
（態様１４）
広げたシリコンメディアを加工することが、エネルギー収集及び貯蔵要素、通信装置、感知装置、及びプロセッサそれぞれのうちの少なくとも一つを生成することを含む、態様１３に記載の方法。
（態様１５）
ストレッチャブルメディア内の導体を利用することが、エネルギー収集及び貯蔵要素から通信装置、感知装置、及びプロセッサへと電力を導くことを含む、態様１４に記載の方法。
（態様１６）
広げたシリコンメディアを加工することが、無線通信能を有する少なくとも一つの通信装置を生成することを含む、態様１４に記載の方法。
（態様１７）
広げたシリコンメディアを加工することが、外部ネットワークと通信できる少なくとも一つのプロセッサを生成することを含む、態様１４に記載の方法。
（態様１８）
広げたシリコンメディアを加工することが、構造ヘルスモニタリング及び管理用のセンサ、着氷センサ、並びにセンサ周囲の気流の動的な流れの剥離を感知するセンサのうちの少なくとも一つを生成することを含む、態様１３に記載の方法。
（態様１９）
ストレッチャブルシリコン基板と、
前記ストレッチャブルシリコン基板上に作製された複数のセンサと、
前記ストレッチャブルシリコン基板上に作製された少なくとも一つの通信装置と、
前記ストレッチャブルシリコン基板上に作成された少なくとも一つのエネルギー収集及び貯蔵要素と
を備えた構造をモニタリングするためのネットワークであって、
前記ストレッチャブルシリコン基板が、前記複数のセンサと、前記少なくとも一つの通信装置と、前記少なくとも一つのエネルギー収集及び貯蔵要素とを相互に接続する複数の導体経路を内部に含んでおり、前記ネットワークが構造全体に取り付けられることによりセンサが分散配置され、前記センサからのデータが前記少なくとも一つの通信装置を介して外部装置に通信される、
構造をモニタリングするためのネットワーク。
（態様２０）
前記少なくとも一つのエネルギー収集及び貯蔵要素、前記少なくとも一つの通信装置、及び前記複数のセンサと相互に接続されて、前記ネットワークの外部のシステムと通信するように動作可能な少なくとも一つのプロセッサを更に備えている、態様１９に記載の構造をモニタリングするためのネットワーク。